(57)【要約】【課題】商品に表示されたデータコードの読取と券類に表示された券類画像の読取を容易に実現する。【解決手段】商品に表示されたデータコードとポイント券に表示されたポイント券データとを撮影するＣＣＤカメラ８と、撮影された前記データコードを読取り、読取られた前記データコードから商品コードをデコードし前記商品コードをＰＯＳ端末２に送信する。さらに、撮影されたポイント券のポイント券データを認識し、この認識したポイント券データをＰＯＳ端末２に送信する。【選択図】      図６
2013156729.tif 000002
【特許請求の範囲】
【請求項１】
商品に表示されたデータコードを含む画像と券類に表示された券類画像とを撮影する撮影手段と、
この撮影手段により撮影された前記データコードを読取るデータコード読取手段と、
このデータコード読取手段により読取られた前記データコードから商品コードをデコードする商品コードデコード手段と、
この商品コードデコード手段によりデコードされた前記商品コードを商品販売データ処理装置に送信する商品コード送信手段と、
前記撮影手段により撮影された前記券類画像から券類データを認識する券類データ認識手段と、
この券類データ認識手段により認識された前記券類データを前記商品販売データ処理装置に送信する券類データ送信手段と、
を備えたことを特徴とするデータコード読取装置。
【請求項２】
データコード読取装置と通信手段を介して接続される商品販売データ装置とからなるチェックアウトシステムにおいて、
前記データコード読取装置は、
商品に表示されたデータコードを含む画像と券類に表示された券類画像とを撮影する撮影手段と、
この撮影手段により撮影された前記データコードを読取るデータコード読取手段と、
このデータコード読取手段により読取られた前記データコードから商品コードをデコードする商品コードデコード手段と、
この商品コードデコード手段によりデコードされた前記商品コードを商品販売データ処理装置に送信する商品コード送信手段と、
前記撮影手段により撮影された前記券類画像から券類データを読取る券類データ認識手段と、
この券類データ認識手段により認識された前記券類データを前記商品販売データ処理装置に送信する券類データ送信手段と、
前記商品販売データ装置は、
データコード読取装置より前記商品コードを受信する商品コード受信手段と、
この商品コード受信手段により受信した前記商品コードで商品販売データ処理を実行する商品販売データ処理手段と、
この商品販売データ処理手段により１商取引の販売商品の合計金額を算出する合計金額算出手段と、
前記データコード読取装置より券類データを受信する券類データ受信手段と、
この券類データ受信手段により受信した前記券類データを預かり金額として記憶する預かり金額記憶手段と、
この預かり金額記憶手段により預かった預かり金額を前記合計金額より減算して支払金額を算出する支払金額算出手段と、
を備えていることを特徴とするチェックアウトシステム。
【請求項３】
前記データコード読取装置は、
商品に表示されたデータコードを含む画像とポイント券に表示されたポイント券画像とを撮影する撮影手段と、
前記撮影手段により撮影された前記ポイント券画像からポイント券データを認識するポイント券データ認識手段と、
このポイント券データ認識手段により認識された前記ポイント券データを前記商品販売データ処理装置に送信するポイント券データ送信手段と、
前記商品販売データ装置は、
前記データコード読取装置より前記ポイント券データを受信するポイント券データ受信手段と、
このポイント券データ受信手段により受信した前記ポイント券データを預かり金額として記憶する預かり金額記憶手段と、
この預かり金額記憶手段により預かった預かり金額を前記合計金額より減算して支払金額を算出する支払金額算出手段と、
を備えていることを特徴とする請求項２記載のチェックアウトシステム。
【請求項４】
コンピュータを、
商品に表示されたデータコードを含む画像と券類に表示された券類画像とを撮影する撮影手段と、
この撮影手段により撮影された前記データコードを読取るデータコード読取手段と、
このデータコード読取手段により読取られた前記データコードから商品コードをデコードする商品コードデコード手段と、
この商品コードデコード手段によりデコードされた前記商品コードを商品販売データ処理装置に送信する商品コード送信手段と、
前記撮影手段により撮影された前記券類画像から券類データを認識する券類データ認識手段と、
この券類データ認識手段により認識された前記券類データを前記商品販売データ処理装置に送信する券類データ送信手段と、
して機能するプログラム。
【発明の詳細な説明】
【技術分野】
【０００１】
本発明の実施形態は、データコード読取装置、チェックアウトシステムおよびプログラムに関する。
【背景技術】
【０００２】
近年、商品を購入した買物客に対して、次回の商品の購入時に行う値引きやポイント券等のサービスを示すサービス情報が印字されたクーポン券やポイント券等の券類を発行する店舗が増えている（特許文献１参照）。
【０００３】
買物客は、次回の商品の購入時に、商品の会計業務を行うオペレータに券類を提示することにより、提示した券類に記録されサービス情報（ポイント、値引額等）が示すサービスを受けることが可能となる。
【先行技術文献】
【特許文献】
【０００４】
【特許文献１】特開２００２−３６７０３７号公報
【発明の概要】
【発明が解決しようとする課題】
【０００５】
ところで、買物客から商品の代金決済は、現金に限らず、その一部または全部を券類で支払われる場合がある。
【０００６】
オペレータは、券類から目視で読み取った額面の金額または、ポイントを預かり金額として置数キーを用いて現金の場合と同様に数値を置数キーで入力している。
【０００７】
しかし、このような券類については、種類が多く自店で取り扱い可能な券類なのかを判断することがオペレータの判断に委ねられており、オペレータのオペレーションが複雑になるばかりか、決済ミスを引き起こさないとも限らない。
【０００８】
また、外見が一緒でも額面金額が異なるものがあるので、その確認に時間がかかるばかりか、数値の入力ミスが起こる可能性もある。
【０００９】
さらに、閉店後の精算に際し券類の取扱枚数やその総金額を現金と別に確認しなければならないので仕事量が増え、売上金額と券類の金額との照合等に多大な労力と時間が費やすという問題を生じることもある。
【００１０】
本発明の実施形態は、券類の取扱が容易で決済業務を迅速かつ確実に行えるデータコード読取装置、チェックアウトシステムおよびプログラムを提供しようとするものである。
【課題を解決するための手段】
【００１１】
本実施形態のデータコード読取装置は、商品に表示されたデータコードを含む画像と券類に表示された券類画像とを撮影する撮影手段と、この撮影手段により撮影された前記データコードを読取るデータコード読取手段と、このデータコード読取手段により読取られた前記データコードから商品コードをデコードする商品コードデコード手段と、この商品コードデコード手段によりデコードされた前記商品コードを商品販売データ処理装置に送信する商品コード送信手段と、前記撮影手段により撮影された前記券類画像から券類データを認識する券類データ認識手段と、この券類データ認識手段により認識された前記券類データを前記商品販売データ処理装置に送信する券類データ送信手段と、を備えたこと。
【００１２】
本実施形態のチェックアウトシステムは、データコード読取装置と商品販売データ装置とを備え、前記データコード読取装置に、商品に表示されたデータコードを含む画像と券類に表示された券類画像とを撮影する撮影手段と、この撮影手段により撮影された前記データコードを読取るデータコード読取手段と、このデータコード読取手段により読取られた前記データコードから商品コードをデコードする商品コードデコード手段と、この商品コードデコード手段によりデコードされた前記商品コードを商品販売データ処理装置に送信する商品コード送信手段と、前記撮影手段により撮影された前記券類画像から券類データを認識する券類データ認識手段と、この券類データ認識手段により認識された前記券類データを前記商品販売データ処理装置に送信する券類データ送信手段と、前記商品販売データ装置に、データコード読取装置より商品コードを受信する商品コード受信手段と、この商品コード受信手段により受信した前記商品コードで商品販売データ処理を実行する商品販売データ処理手段と、この商品販売データ処理手段により１商取引の販売商品の合計金額を算出する合計金額算出手段と、前記データコード読取装置より券類データを受信する券類データ受信手段と、この券類データ受信手段により受信した前記券類データを預かり金額として記憶する預かり金額記憶手段と、この預かり金額記憶手段により預かった預かり金額を前記合計金額より減算して支払金額を算出する支払金額算出手段と、を備えたこと。
【００１３】
本実施形態のプログラムは、コンピュータを、商品に表示されたデータコードを含む画像と券類に表示された券類画像とを撮影する撮影手段と、この撮影手段により撮影された前記データコードを読取るデータコード読取手段と、このデータコード読取手段により読取られた前記データコードから商品コードをデコードする商品コードデコード手段と、この商品コードデコード手段によりデコードされた前記商品コードを商品販売データ処理装置に送信する商品コード送信手段と、前記撮影手段により撮影された前記券類画像から券類データを認識する券類データ認識手段と、この券類データ認識手段により認識された前記券類データを前記商品販売データ処理装置に送信する券類データ送信手段と、して機能する。
【図面の簡単な説明】
【００１４】
【図１】本実施形態に係るチェックアウトシステムの構成を概略的に示す外観図。
【図２】同実施形態に係るデータコード読取装置の構成を示すブロック図。
【図３】同実施形態に係るキーボードの主要なキーを示す模式図。
【図４】同実施形態に係るポイント券の一例を示す模式図。
【図５】同実施形態に係るＰＯＳ端末の構成を示すブロック図。
【図６】同実施形態に係るデータコード読取装置のＣＰＵが実行する主要なステップを示すフローチャート。
【図７】同実施形態に係るＰＯＳ端末のＣＰＵが実行する主要なステップを示すフローチャート。
【発明を実施するための形態】
【００１５】
以下、本発明の一実施形態について図面を参照して説明する。
【００１６】
なお、本実施形態は、スーパーマーケット等の販売店等に設けられるチェックアウトシステムに本発明を適用した場合である。
【００１７】
図１は本実施形態に係るチェックアウトシステムの構成を概略的に示す斜視図である。
【００１８】
図１に示すように、チェックアウトシステムは、登録部としてのデータコード読取装置１と、決済部としてのＰＯＳ（Point Of Sales）端末２とで構成されている。
【００１９】
データコード読取装置１は、サッカー台３の上に取り付けられている。ＰＯＳ端末２は、レジ台４の上にドロワ５を介して設置されている。データコード読取装置１とＰＯＳ端末２とは、通信ケーブル（不図示）により接続されている。
【００２０】
データコード読取装置１は商品の登録に必要なディバイスとしてキーボード１１、オペレータ用ディスプレイ１２、客用ディスプレイ１３を備えている。
【００２１】
サッカー台３は、その奥側の顧客通路に沿って細長い形状をしている。レジ台４は、サッカー台３に沿って移動する顧客の移動方向に対して下流側のサッカー台３の端部手前側に、サッカー台３に対して略垂直に置かれている。
【００２２】
そして、このサッカー台３の手前側にレジ台４の手前側が、会計担当のキャッシャのスペースとなっている。
【００２３】
サッカー台３の略中央にはデータコード読取装置１が、そのキーボード１１、オペレータ用ディスプレイ１２及び撮影部１４をそれぞれ手前側のキャッシャ側に向けて立設されている。
【００２４】
データコード読取装置１の客用ディスプレイ１３は、客通路側に向けて取り付けられている。レジ台４には、ＰＯＳ端末２が、そのキーボード２１及びオペレータ用ディスプレイ２２をキャッシャ側に向けて置かれている。
【００２５】
サッカー台３のデータコード読取装置１の撮影部１４には、ＣＣＤ（Charge Coupled Device）カメラ８が内蔵されている。そして、前記撮影部１４に近づけられた商品Ｍを奥側から撮影する。
【００２６】
図２は、データコード読取装置１の要部構成を示すブロック図である。
【００２７】
図２に示すように、データコード読取装置１は、ＣＰＵ（Central Processing Unit）４０、ＲＯＭ（Read Only Memory）４１、ＲＡＭ（Random Access Memory）４２、通信インターフェース（Ｉ／Ｆ）４３、キーボードコントローラ４４、表示コントローラ４５、表示コントローラ４６、カメラコントローラ４７、メモリ４８を主に備えており、これらをアドレスバス、データバスなどのバスライン４９で接続して構成されている。
【００２８】
ＣＰＵ４０は、データコード読取装置１の制御部本体として動作全体を制御する。ＲＯＭ４１は、プログラムや、設定データ等の固定的なデータを記憶している。ＲＡＭ４２は、入力データ、表示データ、画像データ処理データなどの可変的なデータを一時的に記憶する。また、ＣＰＵ４０がＲＯＭ４１に記憶する各種プログラムを展開する際にワークエリアとして機能するものである。通信インターフェース（Ｉ／Ｆ）４３は、通信ケーブル（不図示）を介して接続されたＰＯＳ端末２とデータ通信を行う。キーボードコントローラ４４は、キーボード１１から操作キーに対応したキー信号を取り込む。表示コントローラ４５は、オペレータ用ディスプレイ１２の画面表示を制御する。表示コントローラ４６は、客用ディスプレイ１３の画面表示を制御する。
【００２９】
なお、オペレータ用ディスプレイ１２は、タッチパネルであってもよい。その場合は、表示コントローラ４５は、画面表示の制御とともにタッチ操作された部位の座標データを取り込む。
【００３０】
データコード読取装置１のキーボード１１には、図３に示すように、「００」および「０」〜「９」の置数キーの他、ＰＬＵキー、商品券キー、ポイント券キー１１ａ、預／現計キー、クリアキー、実行キー、ログオンキーおよびログアウトキー等が配設されている。
【００３１】
本実施形態にかかる構成において、ＣＰＵ４０は、ＲＯＭ４１に記憶されタプログラムに基づいて、ＣＣＤカメラ８で撮影された商品画像からバーコードを読取るバーコード読取手段（データコード読取手段）としての機能と、ポイント券画像（券類画像から）文字情報を認識するポイント券データ認識手段（券類データ認識手段）としての機能とを実現している。ここでは、文字認識手段としては、券類画像データに対して、ＯＣＲ（Optical Character Reader）等の文字認識処理を行う。
【００３２】
図４は、ポイント券の一例を示す説明する図である。図４に示すように、ポイント券は、ポイント券を識別する券類データとして一連番号である取引番号１００ａと、ポイント券を利用可能な店舗名１００ｂ、ポイント券により付与されるポイント表示１００ｃ、ポイント券の有効期限１００ｄ等からなる。
【００３３】
メモリ４８には、例えば、ポイント券を識別する取引番号１００ａ、店舗名１００ｂ、ポイント表示１００ｃ、有効期限１００ｄの特徴を対応したテーブルを格納している。
【００３４】
図５は、ＰＯＳ端末２の要部構成を示すブロック図である。
【００３５】
図５に示すように、ＰＯＳ端末２は、ＣＰＵ７０、ＲＯＭ７１、ＲＡＭ７２、時計部７３、通信インターフェース（Ｉ／Ｆ）７４、ＬＡＮ(Local Area Network)インターフェース７５、キーボードコントローラ７６、表示コントローラ７７、表示コントローラ７８、プリントコントローラ７９およびＩ／Ｏ(Input/Output)ポート８０を主に備えており、これらをアドレスバス、データバスなどのバスライン８１で接続して構成されている。
【００３６】
ＣＰＵ７０は、制御部本体として各部を制御する。ＲＯＭ７１は、プログラムや設定データ等の固定的なデータを格納する。ＲＡＭ７２は、入力データ、表示データ、画像データ処理データなどの可変的なデータを一時的に記憶する。ＣＰＵ７０がＲＯＭ７１に記憶する各種プログラムを展開する際にワークエリアとしても機能するものである。時計部７３は、現在の日付および時刻を計時する。通信インターフェース（Ｉ／Ｆ）７４は、通信ケーブル（不図示）を介して接続されたデータコード読取装置１とデータ通信を行う。ＬＡＮインターフェース７５は、ＬＡＮを介して接続されたストアコンピュータ（不図示）とデータ通信を行う。キーボードコントローラ７６は、キーボード２１から操作キーに対応したキー信号を取り込む。表示コントローラ７７は、オペレータ用ディスプレイ２２の画面表示を制御する。表示コントローラ７８は、客用ディスプレイ２３の画面表示を制御する。プリントコントローラ７９は、プリンタ２４によるレシート印字を制御する。Ｉ／Ｏポート８０は、ドロワ５に信号を出力する。ドロワ５は、ＰＯＳ端末２からの信号を受けて金銭収納箱を自動開放する。
【００３７】
なお、オペレータ用ディスプレイ２２は、タッチパネルであってもよい。その場合は、表示コントローラ４５は、画面表示の制御とともにタッチ操作された部位の座標データを取り込む。また、ドロワ５は、自動釣銭機であってもよい。その場合は、Ｉ／Ｏポート８０から釣り銭データ信号が出力される。
【００３８】
ＰＯＳ端末２のキーボード２１には、図３に示すように、データコード読取装置１のキーボード１１と同様に、「００」および「０」〜「９」の置数キーの他、ＰＬＵキー、商品券キー、ポイント券キー１１ａ、預／現計キー、クリアキー、実行キー、ログインキー、ログアウトキー等が配設されている。これらのキーは、主として買物客が支払った代金の入力に用いられている。
【００３９】
図６は、データコード読取装置１のＣＰＵ４０がＲＯＭ４１に格納されたプログラムに基づき実行する主要な処理のステップを示すフローチャートである。
【００４０】
図７は、ＰＯＳ端末２のＣＰＵ７０がＲＯＭ７１に格納されたプログラムに基づき実行する主要な処理のステップを示すフローチャートである。
【００４１】
以下、これらのフローチャートを用いて本実施形態におけるチェックアウトシステムを立ち上げ後に、データコード読取装置１とＰＯＳ端末２の各ステップの処理について説明する。
【００４２】
データコード読取装置１のＣＰＵ４０は、ＰＯＳ端末２からのコマンドにより業務起動が指令されると、カメラコントローラ４９に撮影オン信号を出力するとともに、ＣＣＤカメラ８による撮影動作を開始する（ＳＴ２０１）。
【００４３】
ＣＰＵ４０は、ＣＣＤカメラ８によって撮影されている商品の画像データを、カメラコントローラ４９を介してＲＡＭ４２の商品画像ワークエリアへ取り込む（ステップＳＴ２０２）。
【００４４】
そして、ＣＰＵ４０は、商品画像ワークエリアに取り込んだ商品の画像データのバーコード読取処理を実行する（ステップＳＴ２０３）。
【００４５】
ＣＰＵ４０は、バーコード読取処理においてバーコードの商品コードへのデコードを行い、商品コードを検出したか否かを判定する（ステップＳＴ２０４）。
【００４６】
そして、バーコードの商品コードをデコードしない場合（ステップＳＴ２０４：ＮＯ）には、ＣＰＵ４０はＣＣＤカメラ８による再度、繰り返し撮影を続ける（ステップＳＴ２０２）。
【００４７】
ＣＰＵ４０は、バーコードを商品コードにデコードされた場合には（ステップＳＴ２０４：ＹＥＳ）、デコードされた商品コードを、通信インターフェース４３を介してＰＯＳ端末２に出力する（ステップＳＴ２０５）。
【００４８】
次に、ＣＰＵ４０は、ポイント券キー１１ａの入力を検出したか否かを判定する（ステップＳＴ２０６）。
【００４９】
そして、ポイント券キー１１ａの入力を検出している場合には（ステップＳＴ２０６：ＹＥＳ）、ＣＰＵ４０は、ポイント券の券面に表示されているポイント券面画像をＣＣＤカメラ８により撮影開始をするとともに、撮影されたポイント券のポイント券面画像データを取り込む（ステップＳＴ２０７）。
【００５０】
次に、ＣＰＵ４０は、ポイント券画像ワークエリアに取り込んだポイント券データのポイント認識処理を実行する（ステップＳＴ２０８）。
【００５１】
ＣＰＵ４０はポイント認識処理においてポイント券データを検出したか否かを判定する（ステップＳＴ２０９）。
【００５２】
ＣＰＵ４０は、ポイント券データを検出した場合には（ステップＳＴ２０９：ＹＥＳ）、ポイント券データを、通信インターフェース４３を介してＰＯＳ端末２に出力する（ステップＳＴ２１０）。
【００５３】
なお、ＣＰＵ４０は、ポイント券データを検出しない場合には（ステップＳＴ２０９：ＮＯ）、１商取引のデータコード読取装置１の業務処理を終了する。
【００５４】
一方、ＰＯＳ端末２のＣＰＵ７０は、ＰＯＳ端末２の立ち上げ後、キャッシャによるログオン入力を待機する（ステップＳＴ５０１）。
【００５５】
そして、たとえば、キーボード２１のログオンキー操作によりログオン入力を受け付けると、ＣＰＵ７０は、通信インターフェース７４を介してデータコード読取装置１に業務開始指令のコマンドを送信する（ステップＳＴ５０２）。
【００５６】
次に、ＣＰＵ７０は、データコード読取装置１から商品コードが送信されてくるのを待機する（ステップＳＴ５０３）。
【００５７】
そして、ＣＰＵ７０は、通信インターフェース７４を介して商品コードを受信したならば、商品コードに基づいて商品販売データ処理を実行する（ステップＳＴ５０４）。すなわち、当該商品コードで商品マスタファイルを検索して、販売商品の単価、品名等の商品設定データを呼び出す。そして、単価に販売点数（バーコードデータの入力直前にデータコード読取装置１のキーボードから数値データが置数されている場合には、その数値、置数されていない場合は“１”）を乗算して販売金額を算出したならば、この商品コード、単価、品名、販売金額などからなる商品販売データをＲＡＭ７２の取引明細ファイルに登録処理する。
【００５８】
また、データコード読取装置１のオペレータ用ディスプレイ１２および客用ディスプレイ１３に品名、単価、販売金額等を表示させる。
【００５９】
ＣＰＵ７０は、ステップＳＴ５０３で商品コードが入力される毎にステップＳＴ５０４の商品販売データ処理を繰り返し実行する。
【００６０】
そして、データコード読取装置１のオペレータ用ディスプレイ１２および客用ディスプレイ１３に品名、単価、販売金額等を表示させる。
【００６１】
次に、ＣＰＵ７０は、データコード読取装置１からのポイント券のポイント券データが送信されてくるのを待機する（ステップＳＴ５０５）。
【００６２】
そして、通信インターフェース７４を介してポイント券のポイント券データを受信したならば（ステップＳＴ５０５：ＹＥＳ）、ＣＰＵ７０は、ＲＡＭ７２のポイント券ワークエリアに、ポイント券（券類）のポイント券データ（券類データ）を記憶する（ステップＳＴ５０６）。
【００６３】
ＣＰＵ７０は、ポイント券のポイントを預かり金額としてＲＡＭの取引明細ファイルに記憶するとともに、ＰＯＳ端末２のオペレータ用ディスプレイ２２および客用ディスプレイ２３に預かり金額として表示させる（ステップＳＴ５０７）。
【００６４】
次に、ＣＰＵ７０は、預／現計キーの締めが操作されたか否かを判定する（ステップＳＴ５０８）。
【００６５】
ＣＰＵ７０は、締め操作が行われると（ステップＳＴ５０８：ＹＥＳ）、合計金額、釣銭額の算出等を含む会計処理が実行される（ステップＳＴ５０９）。
【００６６】
そして、１商取引のＰＯＳ端末２の業務処理を終了する。すると、通信インターフェース７４を介してデータコード読取装置１に商品販売の終了のコマンドを送信する。
【００６７】
このように動作する本実施形態のチェックアウトシステムを用いた商品の販売店では、キャッシャは、登録業務を開始する際に、ＰＯＳ端末２を操作してログオンを宣言する。そうすると、ＰＯＳ端末２からデータコード読取装置１に業務開始指令コマンドが送信される。これにより、ＣＣＤカメラ８の撮影オン信号が出力する。
【００６８】
この状態において、キャッシャは、データコード読取装置１を挟んで顧客移動方向上流側の荷受け面に顧客の買い上げ商品Ｍが置かれると、１品ずつ手に持って当該商品Ｍに表示されたバーコードの部分を撮影部１４に近づける。そうすると、この商品Ｍのバーコード部分を含む商品表面画像がＣＣＤカメラ８によって撮影され、この画像データがＣＰＵ４０に取り込まれる。ＣＰＵ４０では、バーコード読取処理が実行されて、バーコードが商品コードにデコードされる。デコードされた商品コードは、通信ケーブル（不図示）を介してＰＯＳ端末２に送信される。ＰＯＳ端末２では、データコード読取装置１から受け取った商品コードに基づいて商品販売データ処理が実行される。
【００６９】
キャッシャは、撮影部１４を介して登録された商品を、データコード装置１を挟んで顧客移動方向上流の荷受け面におかれている買物かご７に入れる。引き続き、別の買い上げ商品がある場合は、同様な作業を繰り返す。こうすることにより、当該顧客が買い上げるすべての商品の販売データがＰＯＳ端末２に登録される。
【００７０】
顧客買い上げたすべての商品の登録を終了したならば、キャッシャは顧客から代金の支払いを受ける。そして、顧客から代金の支払いを一部または全部を、ポイント券で支払う場合は、当該ポイント券に表示されたポイント画像の部分を撮影部１４に近づける。そうすると、このポイント券に表示されたポイント部分を含む券面画像がＣＣＤカメラ８によって撮影され、ＣＰＵ４０では、撮影されたポイント券データをたとえば、ＯＣＲによってポイント券データ（テキストデータ）が認識される。この認識されたポイント券データ（テキストデータ）は、通信ケーブル（不図示）を介してＰＯＳ端末２に送信される。
【００７１】
ＰＯＳ端末２では、データコード読取装置１から受け取ったポイント券の取引番号、店舗名、ポイント、有効期限等をＲＡＭ７２のポイントデータワークエリアに記憶する。
【００７２】
さらに、ポイントを預かり金額としてＲＡＭ７２の取引データワークエリアに記憶するとともに、オペレータ用ディスプレイ２２及び客用ディスプレイ２３に預かり金額を表示する。
【００７３】
そして、締め操作によって、合計金額、釣銭額の算出・表示を含む会計処理が実行される。すると、１商取引の業務が終了したので、データコード読取装置１に業務終了のコマンドが送信される。
【００７４】
データコード読取装置１ではＰＯＳ端末２からの業務終了のコマンドを受信すると情報出力の業務を終了させることになる。
【００７５】
本実施形態においては、このような構成にすることにより、バーコード等のデータコードの読取とともにポイント券や商品券等の券類の額面データの認識が同一の撮影手段により容易に実現することが可能になる。また、これらの技術を採用したことにより操作性のよいチェックアウトシステムを提供することが可能になる。
【００７６】
また、前記実施形態では、データコードをバーコードとしたが、二次元データコードなどの他のシンボルであってもよい。
【００７７】
本実施形態では、ポイント券について主に述べたが、クーポン券、ギフト券、食事券、ビール券等の券類に適用することが可能である。
【００７８】
また、券類の取扱が容易で会計処理が迅速に処理可能なチェックアウトシステムを提供することが可能となる。
【００７９】
なお、この発明は、前記実施形態そのままに限定されるものではなく、実施段階ではその趣旨を逸脱しない範囲で構成要素を変形して具体化できる。
【００８０】
また、ポイント券画像データをあらかじめメモリ４８に登録しておき画像と照合してポイント券データを認識してもよいし、ＯＣＲの機能を利用して画像データの文字情報を認識しこの文字情報を英数値情報に変換して、ＰＯＳ端末２に出力してもよい。
【００８１】
また、前記実施形態に開示されている複数の構成要素の適宜な組み合わせにより種々の発明を形成できる。たとえば、実施形態に示される全構成要素から幾つかの構成要素を削除してもよい。さらに、異なる実施形態にわたる構成要素を組み合わせてもよい。
【符号の説明】
【００８２】
１…コード読取装置、２…ＰＯＳ端末、８…ＣＣＤカメラ、１１ａ…ポイント券キー、１４…撮影部、４０、７０…ＣＰＵ、４１、７１…ＲＯＭ、４２、７２…ＲＡＭ、４３、７４…通信インターフェース、４８…メモリ。
【図１】
2013156729.tif 000003
【図２】
2013156729.tif 000004
【図３】
2013156729.tif 000005
【図４】
2013156729.tif 000006
【図５】
2013156729.tif 000007
【図６】
2013156729.tif 000008
【図７】
2013156729.tif 000009